【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
入力面を指示することにより座標を入力する座標入力有効領域に対する指示位置を検出する座標入力装置であって、
それぞれが、前記入力面からの距離が異なる第１の投光部と第２の投光部の少なくとも２つの投光部と、光を受光する受光部とを備える少なくとも２つのセンサユニットと、入射光を再帰的に反射する再帰反射部を備え、前記座標入力有効領域を構成するように前記入力面に装着される第１の筺体と第２の筺体と、
前記第１の筺体と前記第２の筺体のそれぞれが備える前記少なくとも２つのセンサユニットの前記受光部から得られる光量分布に基づいて前記座標入力有効領域の前記指示位置を計算する計算手段と、
前記第１の筺体と前記第２の筺体それぞれが備える前記少なくとも２つのセンサユニットの前記受光部の受光結果に基づいて、前記第１の筺体と前記第２の筺体のそれぞれが備える前記少なくとも２つのセンサユニットの前記第１の投光部と前記第２の投光部のうちの少なくとも一方を使用して投光を行うように、前記第１の投光部と前記第２の投光部による投光を制御する制御手段と
を有することを特徴とする座標入力装置。
【請求項２】
前記制御手段は、
前記受光部の受光量が閾値以上である場合、前記第１の投光部による投光を行い、
前記受光部の受光量が閾値未満である場合、少なくとも前記第２の投光部による投光を行う
ことを特徴とする請求項１に記載の座標入力装置。
【請求項３】
前記制御手段は、
２つの異なる受光方向からの受光強度の比が閾値以上である場合、前記制御手段は、前記第１の投光部による投光を行い、
前記受光強度の比が閾値未満である場合、前記制御手段は、少なくとも前記第２の投光部による投光を行う
ことを特徴とする請求項１に記載の座標入力装置。
【請求項４】
入力面を指示することにより座標を入力する座標入力有効領域に対する指示位置を検出する座標入力装置であって、  
それぞれが、光を投光する投光部と、光を受光する受光部とを備える少なくとも２つのセンサユニットと、入射光を再帰的に反射する再帰反射部を備え、前記入力面と前記投光部の距離が異なるように、第１の装着面、または、前記第１の装着面と対向する第２の装着面で前記入力面に装着されて、前記座標入力有効領域を構成する第１の筺体と第２の筺体と、
前記第１の筺体と前記第２の筺体のそれぞれが備える前記少なくとも２つのセンサユニットの前記受光部から得られる光量分布に基づいて前記座標入力有効領域の前記指示位置を計算する計算手段と、
前記第１の筺体と前記第２の筺体それぞれが備える前記少なくとも２つのセンサユニットの前記受光部の受光結果に基づいて、前記入力面への装着面の変更を促す報知を行う報知手段と
を有することを特徴とする座標入力装置。
【請求項５】
前記入力面からの距離が異なる位置に前記再帰反射部を配置変更するための位置変更手段を更に備える
ことを特徴とする請求項１に記載の座標入力装置。
【請求項６】
入力面を指示することにより座標を入力する座標入力有効領域に対する指示位置を検出する座標入力装置であって、  
それぞれが、前記入力面からの距離が異なる第１の投光部と第２の投光部の少なくとも２つの投光部と、光を受光する受光部とを備える少なくとも２つのセンサユニットと、入射光を再帰的に反射する再帰反射部を備え、前記座標入力有効領域を構成するように前記入力面に装着される第１の筺体と第２の筺体と、
前記第１の筺体と前記第２の筺体のそれぞれが備える前記少なくとも２つのセンサユニットの前記受光部から得られる光量分布に基づいて前記座標入力有効領域の前記指示位置を計算する計算手段と、
前記入力面からの距離が異なる位置に前記再帰反射部を配置変更するための位置変更手段と、
前記第１の筺体と前記第２の筺体それぞれが備える前記少なくとも２つのセンサユニットの前記受光部の受光結果に基づいて、前記再帰反射部の配置変更を促す報知を行う報知手段と
を有することを特徴とする座標入力装置。
【請求項７】
前記受光部の受光結果に基づいて、前記制御手段は、入力面からの距離が異なる位置に前記再帰反射部を配置変更する
ことを特徴とする請求項１に記載の座標入力装置。
【請求項８】
入力面を指示することにより座標を入力する座標入力有効領域に対する指示位置を検出する座標入力装置として、
それぞれが、前記入力面からの距離が異なる第１の投光部と第２の投光部の少なくとも２つの投光部と、光を受光する受光部とを備える少なくとも２つのセンサユニットと、入射光を再帰的に反射する再帰反射部を備え、前記座標入力有効領域を構成するように前記入力面に装着される第１の筺体と第２の筺体を備える座標入力装置の制御方法であって、
前記第１の筺体と前記第２の筺体のそれぞれが備える前記少なくとも２つのセンサユニットの前記受光部から得られる光量分布に基づいて前記座標入力有効領域の前記指示位置を計算する計算工程と、
前記第１の筺体と前記第２の筺体それぞれが備える前記少なくとも２つのセンサユニット前記受光部の受光結果に基づいて、前記第１の筺体と前記第２の筺体のそれぞれが備える前記少なくとも２つのセンサユニットの前記第１の投光部と前記第２の投光部のうちの少なくとも一方を使用して投光を行うように、前記第１の投光部と前記第２の投光部による投光を制御する制御工程と
を有することを特徴とする座標入力装置の制御方法。
【請求項９】
入力面を指示することにより座標を入力する座標入力有効領域に対する指示位置を検出する座標入力装置として、
それぞれが、前記入力面からの距離が異なる第１の投光部と第２の投光部の少なくとも２つの投光部と、光を受光する受光部とを備える少なくとも２つのセンサユニットと、入射光を再帰的に反射する再帰反射部を備え、前記座標入力有効領域を構成するように前記入力面に装着される第１の筺体と第２の筺体を備える座標入力装置の制御をコンピュータに機能させるためのプログラムであって、
前記コンピュータを、
前記第１の筺体と前記第２の筺体のそれぞれが備える前記少なくとも２つのセンサユニットの前記受光部から得られる光量分布に基づいて前記座標入力有効領域の前記指示位置を計算する計算手段と、
前記第１の筺体と前記第２の筺体それぞれが備える前記少なくとも２つのセンサユニットの前記受光部の受光結果に基づいて、前記第１の筺体と前記第２の筺体のそれぞれが備える前記少なくとも２つのセンサユニットの前記第１の投光部と前記第２の投光部のうちの少なくとも一方を使用して投光を行うように、前記第１の投光部と前記第２の投光部による投光を制御する制御手段と
して機能させることを特徴とするプログラム。
【手続補正２】
【補正対象書類名】明細書
【補正対象項目名】００２５
【補正方法】変更
【補正の内容】
【００２５】
上記の目的を達成するための本発明による座標入力装置は以下の構成を備える。即ち、
入力面を指示することにより座標を入力する座標入力有効領域に対する指示位置を検出する座標入力装置であって、
それぞれが、前記入力面からの距離が異なる第１の投光部と第２の投光部の少なくとも２つの投光部と、光を受光する受光部とを備える少なくとも２つのセンサユニットと、入射光を再帰的に反射する再帰反射部を備え、前記座標入力有効領域を構成するように前記入力面に装着される第１の筺体と第２の筺体と、
前記第１の筺体と前記第２の筺体のそれぞれが備える前記少なくとも２つのセンサユニットの前記受光部から得られる光量分布に基づいて前記座標入力有効領域の前記指示位置を計算する計算手段と、
前記第１の筺体と前記第２の筺体それぞれが備える前記少なくとも２つのセンサユニットの前記受光部の受光結果に基づいて、前記第１の筺体と前記第２の筺体のそれぞれが備える前記少なくとも２つのセンサユニットの前記第１の投光部と前記第２の投光部のうちの少なくとも一方を使用して投光を行うように、前記第１の投光部と前記第２の投光部による投光を制御する制御手段と
を有することを特徴とする。